(57)【要約】【課題】電気錠装置を備えた建物用扉において、電気錠装置の取付作業を可能なものとしつつ防犯性の向上を図ること。【解決手段】玄関部１０には、電気錠システム２０が設けられている。電気錠システム２０は、電気錠装置２１とコントローラ２２とを備えており、さらに両者は玄関扉１４の内部空間を通るように設けられた配線２７を介して電気的に接続されている。かかる構成において、電気錠装置２１の駆動ユニット２４には、配線巻き取り装置が設けられている。この配線巻き取り装置は、配線の一部を巻き取りその状態を保持する機能を有しており、さらにその保持状態を解除することができる機能を有している。これにより、必要に応じて、配線２７の弛みを除去した状態とすることができるとともに、配線２７を弛ませた状態とすることができる。【選択図】      図１
2008121309.tif 000002
【特許請求の範囲】
【請求項１】
建物開口部を開閉するとともに、内部空間が形成された扉本体と、
扉本体に設けられて当該扉本体の施解錠を行う電気錠装置と、
前記扉本体の内部空間を通されるとともに前記電気錠装置に接続され、当該電気錠装置に施解錠のための電力又は信号を付与する配線と、
当該配線の弛みを除去する弛み除去手段と
を備えた建物用扉。
【請求項２】
前記配線は前記扉本体から室内側領域へ導出され、前記弛み除去手段は当該室内側領域にて前記配線を保持することにより前記弛みを除去するものである請求項１記載の建物用扉。
【請求項３】
前記扉本体は、前記室内側領域へ導出された配線を収容する収容体を備えている請求項２記載の建物用扉。
【請求項４】
前記配線を介して前記施解錠のための電力又は信号を前記電気錠装置に付与する制御装置を備えている請求項１乃至３のいずれかに記載の建物用扉。
【請求項５】
前記制御装置は、前記扉本体の開閉自由端側の端面から前記内部空間に挿入されて取り付けられている請求項４記載の建物用扉。
【請求項６】
前記弛み除去手段は、前記配線の一部を巻き取る巻き取り手段を備えている請求項１乃至５のいずれかに記載の建物用扉。
【請求項７】
前記弛み除去手段は、前記配線の弛みを除去すべく操作される操作手段を備え、前記巻き取り手段は、当該操作手段の操作に基づいて回転されることにより前記配線を巻き取るものである請求項６記載の建物用扉。
【請求項８】
前記弛み除去手段は、前記巻き取り手段の反巻き取り方向への回転を防止する回転防止手段をさらに備えている請求項７記載の建物用扉。
【請求項９】
前記弛み除去手段は、前記回転防止手段による反巻き取り方向への回転防止状態を解除する解除手段をさらに備えている請求項８記載の建物用扉。
【請求項１０】
前記弛み除去手段は、前記配線を拘束することにより前記弛みを除去した状態に保持する拘束部材と、当該拘束部材を支持する支持部とを備えている請求項１乃至９のいずれかに記載の建物用扉。
【請求項１１】
請求項１乃至１０のいずれかに記載の建物用扉が建物開口部に開閉可能に取り付けられ、前記建物用扉の開閉固定端部に取り付けられた通電金具を介して前記配線に電源又は信号が送信されることを特徴とする建物。
【発明の詳細な説明】
【技術分野】
【０００１】
本発明は、建物用扉及び当該建物用扉を備えた建物に関するものである。
【背景技術】
【０００２】
従来、防犯機能の向上や操作性の向上等の目的で、住宅の玄関部等の出入口を開閉する扉に電気錠装置を設けた構成が提案されている（例えば特許文献１参照）。当該構成の一例を、図６（ａ）に示す。
【０００３】
電気錠システム９０を構成する電気錠装置９１は、施解錠の対象となる扉９２における把持部９３側の端部に取り付けられている。また、電気錠装置９１は、扉９２におけるヒンジ９４側の端部に取り付けられた扉側通電金具９５に対して、配線９６によって電気的に接続されている。この配線９６は、防犯上の観点及び扉９２周辺の外観上の観点から、扉本体９７内の空間を通るようにして設けられている。
【０００４】
扉側通電金具９５は扉用枠体９８に取り付けられた枠側通電金具９９と対をなしており、枠側通電金具９９は仕切壁１００に取り付けられた制御装置１０１に対して電気的に接続されている。制御装置１０１は、受信機１０２に対して電気的に接続されている。そして、当該受信機１０２における受信結果に基づいて制御装置１０１によって電気錠装置９１に設けられた駆動部の通電状態が変更されることにより、電気錠装置９１が動作するようになっている。
【特許文献１】特開２００６−４５９４９号公報
【発明の開示】
【発明が解決しようとする課題】
【０００５】
上記電気錠システム９０では、扉本体９７内にて配線９６は弛ませて設けられている。配線９６の長さにゆとりがないと、電気錠装置９１の取付作業が行えないためである。しかしながら、扉本体９７内にて配線９６を弛ませた状態では、電気錠装置９１が不正に解錠されてしまうおそれがある。つまり、図６（ｂ）に示すように、扉本体９７の外板９７ａを破壊して破断部１０３を形成することで、二点鎖線で示すように配線９６を室外側に容易に導出することができてしまう。そして、この状態で配線９６を切断し、その切断した配線９６を外部電源などに接続して電気錠装置９１の駆動部の通電状態を変更することで、扉９２を不正に解錠させることができてしまう。
【０００６】
本発明は、上記事情に鑑みなされたものであり、電気錠装置を備えた建物用扉において、電気錠装置の取付作業を可能なものとしつつ防犯性の向上を図ることを主たる目的とするものである。
【課題を解決するための手段】
【０００７】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００８】
本発明の建物用扉（玄関扉１４）は、建物開口部（枠体１５によって囲まれた領域）を開閉するとともに、内部空間（内部空間Ｓ）が形成された扉本体（扉本体１７）と、扉本体に設けられて当該扉本体の施解錠を行う電気錠装置（電気錠装置２１、駆動ユニット８３を有する電気錠装置）と、前記扉本体の内部空間を通されるとともに前記電気錠装置に接続され、当該電気錠装置に施解錠のための電力又は信号を付与する配線（配線２７，６７，８２）と、当該配線の弛みを除去する弛み除去手段（配線巻き取り装置４０、配線巻き取り部７１、拘束部材７５）とを備えている。
【０００９】
この発明によれば、扉本体の内部空間において配線を弛ませておくことで扉本体に電気錠装置を取り付けることができる。また、当該作業の終了後には弛み除去手段によって配線の弛みを除去することにより、電気錠装置を不正に解錠させるべく配線を扉本体の内部空間から室外側に導出しようとしてもそれが困難となる。よって、電気錠装置を備えた建物用扉において、電気錠装置の取付作業を可能なものとしつつ防犯性の向上を図ることができる。
【００１０】
なお、前記配線が接続される通電金具（通電金具２８）を扉本体の開閉固定端部に設け、当該通電金具を介して前記配線に電源又は信号が送信される構成としてもよい。当該構成においては、扉本体に電気錠装置が取り付けられる場合、通電金具に対して接続された配線に対して電気錠装置が接続される。したがって、電気錠装置の取付に際して配線を扉本体の内部空間から導出する必要がある。この場合に、配線に弛みがあることにより当該配線を導出することができる。一方、上記のとおり弛み除去手段が設けられていることにより、電気錠装置の取付後には配線の弛みを除去することができ、電気錠装置を不正に解錠させるべく配線を扉本体の内部空間から室外側に導出しようとしてもそれが困難となる。
【００１１】
前記配線は前記扉本体から室内側領域（収容領域２５ｃ）へ導出され、前記弛み除去手段は当該室内側領域にて前記配線を保持することにより前記弛みを除去するものであることが好ましい。これにより、弛みを除去するためにまとめられた配線部分を扉本体よりも室外側に導出して電気錠装置を不正に解錠させようとしても、それが困難となる。よって、防犯性を高めることができる。
【００１２】
また、前記扉本体は、前記室内側領域へ導出された配線を収容する収容体（ハウジング２５，６１）を備えていることが好ましい。これにより、配線の一部を室内側領域に導出するようにした構成において、その導出した配線が室内にて露出してしまうことが防止され、当該室内側における扉周辺の外観が良好なものとなる。なお、前記電気錠装置が前記扉本体よりも室内側に駆動装置（駆動装置２６，６５）などを収容するハウジング（ハウジング２５，６１）を備えた構成においては、当該ハウジングを収容体として兼用することが好ましい。この場合、配線を収容するための収容体を別に設ける構成に比べ、部材点数の削減を図ることができる。
【００１３】
前記配線を介して前記施解錠のための電力又は信号を前記電気錠装置に付与する制御装置（コントローラ８１）を備えた構成としてもよい。扉本体に電気錠装置が取り付けられた状態で制御装置の取付作業を行う場合や、扉本体に制御装置が取り付けられた状態で電気錠装置の取付作業を行う場合は、扉本体の内部空間において配線が弛んだ状態である必要がある。一方、上記のとおり弛み除去手段が設けられていることにより、電気錠装置や制御装置の取付後には弛みを除去することができ、電気錠装置を不正に解錠させるべく配線を扉本体の内部空間から室外側に導出しようとしてもそれが困難となる。
【００１４】
なお、前記扉本体の内部空間を通されるとともに、前記制御装置と前記扉本体の開閉固定端部に設けられた通電金具とのそれぞれに接続され、当該通電金具を介して供給された施解錠に関する情報を前記制御装置に付与する制御側配線（配線８５）を備えた構成としてもよい。かかる構成においては、扉本体に制御装置を取り付ける際に、扉本体の内部空間において制御側配線が弛んだ状態である必要がある。一方、電気錠装置を不正に解錠させるべく制御側配線を扉本体の内部空間から室外側に導出する行為が想定される。これに対して、制御側配線の弛みを除去する制御側弛み除去手段を設ける構成とするのが好ましい。これにより、制御側配線を扉本体の内部空間から室外側に導出しようとしてもそれが困難となり、当該行為を抑制することができる。
【００１５】
また、前記制御装置が前記扉本体の開閉自由端側の端面から前記内部空間に挿入されて取り付けられた構成としてもよい。当該構成においては、制御装置の取付に際して配線を扉本体の開閉自由端側の端面から内部空間の外側に導出する必要があり、当該取付作業に際しては扉本体の内部空間において配線が弛んだ状態である必要がある。一方、上記のとおり弛み除去手段が設けられていることにより、電気錠装置の取付後には配線の弛みを除去することができ、電気錠装置を不正に解錠させるべく配線を扉本体の内部空間から室外側に導出しようとしてもそれが困難となる。
【００１６】
前記弛み除去手段は、前記配線の一部を巻き取る巻き取り手段（ボビン４１、配線巻き取り部７１）を備えた構成とすることが好ましい。当該構成においては、配線の一部を巻き取ることで当該配線の弛みが除去され、当該弛み除去を整然と行うことができる。
【００１７】
前記弛み除去手段は、前記配線の弛みを除去すべく操作される操作手段（操作部材４３）を備え、前記巻き取り手段は、当該操作手段の操作に基づいて回転されることにより前記配線を巻き取る構成とすることが好ましい。本構成によれば、操作手段を操作することにより、配線の弛み除去が自ずと行われるため、配線の弛み除去作業の作業性を向上させることができる。
【００１８】
また、前記弛み除去手段は、前記巻き取り手段の反巻き取り方向への回転を防止する回転防止手段（逆回転防止機構５０）をさらに備えた構成とすることが好ましい。これにより、配線の一部を巻き取ることにより当該配線の弛みを除去するようにした構成において、巻き取り手段の反巻き取り方向への回転が防止され、弛みを除去した状態が保持される。
【００１９】
また、前記弛み除去手段は、前記回転防止手段による反巻き取り方向への回転防止状態を解除する解除手段（解除ボタン５５）をさらに備えた構成とすることが好ましい。これにより、配線の弛みを一旦除去したとしても、その後、解除手段により保持状態を解除することで、配線を再度弛ませることができる。そして、配線を再度弛ませることで当該配線の長さにゆとりが生じるため、電気錠装置の保守点検作業時には、扉本体の分解作業を要することなく電気錠装置を扉本体から取り外すことができ、当該作業を良好に行うことができる。
【００２０】
前記弛み除去手段は、前記配線を拘束することにより前記弛みを除去した状態に保持する拘束部材（拘束部材７５）と、当該拘束部材を支持する支持部（拘束用孔７６）とを備えた構成とすることが好ましい。これにより、配線の弛みを除去した状態を保持することができ、さらには拘束部材の拘束を解除することにより配線を再度弛ませることができる。そして、配線を再度弛ませることで当該配線の長さにゆとりが生じるため、電気錠装置の保守点検作業時には、扉本体の分解作業を要することなく電気錠装置を扉本体から取り外すことができ、当該作業を良好に行うことができる。また、本構成によれば、拘束部材及び支持部という比較的簡素な構成により、上記効果を奏することができる。
【００２１】
さらに、以上の建物用扉が建物開口部に開閉可能に取り付けられ、前記建物用扉の開閉固定端部に取り付けられた通電金具を介して前記配線に電源又は信号が送信される建物とすれば、建物における電気錠装置を備えた建物用扉において、電気錠装置の取付作業を可能なものとしつつ防犯性の向上を図ることができる。
【発明を実施するための最良の形態】
【００２２】
[第１の実施の形態]
以下、本発明を具体化した第１の実施の形態を図面に基づいて説明する。図１は本実施の形態の建物の玄関扉周辺を屋外側から見た正面図である。
【００２３】
図１に示すように、建物の玄関部１０には、屋内外を仕切る壁体１１が設けられている。壁体１１には開口部１２が形成されており、当該開口部１２に対して扉ユニット１３が嵌め込まれている。扉ユニット１３は、扉体としての玄関扉１４と枠体１５とからなり、扉ユニット１３の左右一方の側部にて上下にそれぞれ設けられたヒンジ１６により、枠体１５に対して玄関扉１４が片開き可能に支持されている。
【００２４】
玄関扉１４は、扉本体１７を有しており、その回動先端側（開閉自由端側）には把持部としてのバーハンドル１８が設けられている。また、玄関部１０には電気錠システム２０が設けられており、当該電気錠システム２０により、玄関扉１４が枠体１５に対して施解錠される。
【００２５】
電気錠システム２０について詳細に説明する。図２は電気錠システム２０の一部の構成について玄関扉１４の回動先端側から見た側面図であり、図３は電気錠システム２０の一部の構成について屋内側から見た正面図である。
【００２６】
電気錠システム２０は、電気錠装置２１と、制御装置としてのコントローラ２２とを主要装置として備えている。電気錠装置２１は、施錠片としてのデッドボルト２３ａを有する箱錠２３と、デッドボルト２３ａを駆動する駆動ユニット２４とを備えている。
【００２７】
箱錠２３は、玄関扉１４の回動先端側に取り付けられている。ここで、玄関扉１４の扉本体１７は、図２に示すように、屋外側扉面を構成する金属製の外板１７ａと、屋内側扉面を構成する金属製の内板１７ｂとを有しており、これら外板１７ａ及び内板１７ｂが所定間隔離間されていることにより、扉本体１７には内部空間Ｓが形成されている。箱錠２３はこの内部空間Ｓに収まるようにして取り付けられている。詳細には、箱錠２３は、扉本体１７の回動先端側の端面から内部空間Ｓに収められ、当該端面にネジ止めされている。なお、図示による説明は省略するが、箱錠２３にはバーハンドル１８の操作に基づいて動作するラッチボルトが設けられている。
【００２８】
駆動ユニット２４は一方に開放された箱状をなすハウジング２５を有しており、当該ハウジング２５の開放部２５ａを扉本体１７により覆うようにして、内板１７ｂに駆動ユニット２４がネジ止めされている。このように取り付けられていることにより、駆動ユニット２４は玄関扉１４の屋内側扉面から屋内側に張り出している。なお、この駆動ユニット２４が取り付けられた位置は、玄関扉１４の厚み方向に箱錠２３と並んだ位置となっている。
【００２９】
駆動ユニット２４は、ハウジング２５内に駆動装置２６を備えている。駆動装置２６は、出力軸２６ａを有しており、当該出力軸２６ａは内板１７ｂを貫通して箱錠２３内に入り込んでいる。出力軸２６ａは箱錠２３内に設けられた図示しないリンク機構を介してデッドボルト２３ａに連結されている。
【００３０】
また、駆動装置２６は、コントローラ２２に対して電気的に接続されている。詳細には、駆動装置２６は、図１に示すように、玄関扉１４の回動基端側（開閉固定端側）の端部に設けられた扉側通電金具２８に対して配線２７によって電気的に接続されている。この配線２７は、その長さ寸法が駆動装置２６と扉側通電金具２８との間の最短距離よりも大きく確保されており、さらにまた防犯上の観点及び玄関扉１４周辺の外観上の観点から扉本体１７の内部空間Ｓを通るようにして設けられている。扉側通電金具２８は、枠体１５に取り付けられた枠側通電金具２９と対をなしており、枠側通電金具２９は壁体１１の屋内側壁面に取り付けられたコントローラ２２に対して配線３０によって電気的に接続されている。
【００３１】
コントローラ２２は、配線３１によって家庭用電源に接続されており、さらに壁体１１の屋内側壁面に取り付けられた施解錠に関する情報を検知する情報検知部としての受信機３２に対して配線３３によって電気的に接続されている。受信機３２は、所定の電子キーとの間で無線通信を行うものであり、その通信結果はコントローラ２２にて入力される。そして、コントローラ２２は、受信機３２から所定の解錠情報を入力した場合に駆動装置２６に対して動作電力を供給する。
【００３２】
駆動装置２６に対して動作電力が供給されていない間は、出力軸２６ａは初期位置にある。この場合、デッドボルト２３ａは枠体１５に設けられたストライク１５ａに対して突出しており、玄関扉１４は施錠されている。一方、駆動装置２６に対して動作電力が供給されることで出力軸２６ａは動作位置に移動し、当該動作電力の供給が継続されている間、出力軸２６ａは動作位置にあり続ける。この場合、デッドボルト２３ａはストライク１５ａに対して没した位置にあり、玄関扉１４は解錠されている。
【００３３】
なお、駆動ユニット２４におけるハウジング２５の外側にはサムターンノブ３４が設けられており、当該サムターンノブ３４を手動操作することにより、出力軸２６ａを動作させることが可能な構成となっている。すなわち、玄関扉１４の施解錠は、駆動装置２６による電動式施解錠とサムターンノブ３４による手動式施解錠のいずれによっても行うことができるようになっている。
【００３４】
次に、駆動ユニット２４に設けられた弛み除去手段としての配線巻き取り装置４０について説明する。
【００３５】
配線巻き取り装置４０は、図２に示すように、扉本体１７の内部空間Ｓにある配線２７の一部を巻き取る巻き取り手段としてのボビン４１を備えている。ボビン４１は、ハウジング２５に一体形成された軸部４２に回転可能に支持されており、玄関扉１４の厚み方向に延びる軸線を中心として回転可能となっている。
【００３６】
ボビン４１の内周部には、図示による説明は省略するが、配線２７のうち駆動装置２６から延びる第１配線２７ａが接続される接続部が設けられている。この接続部は、ボビン４１の回転に伴って第１配線２７ａが捩れないように捩れ防止機構を具備している。ボビン４１の外周部には、配線２７のうち、扉側通電金具２８から延びる第２配線２７ｂが接続されている。第２配線２７ｂはボビン４１において上記接続部と導通が確保されており、これにより第１配線２７ａと第２配線２７ｂとの導通が確保されている。
【００３７】
ボビン４１は、配線巻き取り装置４０を構成する操作部材４３が一方向（以下、巻き取り操作方向ともいう）に回転操作されることにより、第２配線２７ｂを巻き取る方向に回転する。つまり、操作部材４３は、駆動ユニット２４のハウジング２５における張り出し側の板部２５ｂを貫通するようにして設けられている。操作部材４３におけるハウジング２５の外部に露出した部位は、操作ノブ４４となっている。一方、操作部材４３におけるハウジング２５内に収容された部位には、操作ノブ４４の回転操作によって一体回転するように駆動ギア４５が取り付けられている。なお、操作部材４３には、玄関扉１４の厚み方向に貫通する挿通部が形成されており、当該挿通部を介してサムターンノブ３４の軸部３４ａが駆動装置２６側に延びている。
【００３８】
駆動ギア４５は、遊びギア（中継ギア）４６を介して、ボビン４１に一体形成された受け側ギア４７と連なっており、これら各ギア４５〜４７によって歯車列が形成されている。したがって、操作部材４３が上記巻き取り操作方向に回転操作されることにより、ボビン４１は巻き取り方向に回転し第２配線２７ｂの一部が巻き取られる。なお、当該歯車列では、巻き取り操作方向と巻き取り方向とが同一方向となっているが、これら両方向が異なる方向であってもよい。巻き取られた第２配線２７ｂは、駆動ユニット２４のハウジング２５内に確保された収容領域２５ｃに収容され、屋内側にて露出しないようになっている。以上のように操作部材４３を手動操作することにより、第２配線２７ｂの弛みを必要に応じて除去することができる。
【００３９】
配線巻き取り装置４０には、上記のような配線２７を巻き取るための機能だけでなく、その巻き取った状態を保持する機能が設けられている。つまり、巻き取った状態を保持する機能として、操作部材４３の巻き取り操作方向に対して逆方向（以下、反巻き取り操作方向ともいう）への回転を防止する回転防止手段としての逆回転防止機構５０が設けられている。
【００４０】
逆回転防止機構５０として、操作部材４３には操作ノブ４４の回転操作によって一体回転するように逆回転防止用ギア５１が取り付けられており、さらに駆動ユニット２４のハウジング２５内にはストッパ装置５２が設けられている。ストッパ装置５２は逆回転防止用ギア５１に向けて出没可能なストッパ部材５３を備えており、当該ストッパ部材５３は図示しないバネ等の付勢部材に付勢されて、図３に示すように、逆回転防止用ギア５１の各歯５４の間に入り込む構成となっている。逆回転防止用ギア５１は、入り込んだストッパ部材５３との関係において上記巻き取り操作方向への回転が常時許容され、反巻き取り操作方向への回転が自ずと阻止される形状となっている。具体的には、逆回転防止用ギア５１の各歯５４は、その側面が逆回転防止用ギア５１の径方向に平面状に延びるストッパ面５４ａと、当該ストッパ面５４ａの先端から上記巻き取り方向へ曲面状に延びる押し出し面５４ｂとから構成されている。
【００４１】
上記構成において操作部材４３が巻き取り操作方向に回転しようとする場合、ストッパ部材５３は逆回転防止用ギア５１の各歯５４の押し出し面５４ｂに当たり当該押し出し面５４ｂに沿って反付勢方向に押し出される。これにより、操作部材４３の巻き取り操作方向の回転がストッパ部材５３によって阻止されないようになっている。一方、操作部材４３が反巻き取り操作方向に回転しようとする場合、ストッパ部材５３は逆回転防止用ギア５１の歯５４のストッパ面５４ａと当接する。この場合、ストッパ部材５３が反付勢方向に押し出されることはなく、操作部材４３の反巻き取り操作方向の回転がストッパ部材５３によって阻止されるようになっている。そして、このように操作部材４３の反巻き取り操作方向への回転が阻止されることにより、結果的にボビン４１の反巻き取り方向への回転が阻止される。
【００４２】
ストッパ装置５２には解除機構が内蔵されており、ストッパ装置５２に設けられた解除ボタン５５が押圧操作されることにより、解除機構が動作し、ストッパ部材５３が付勢部材の付勢力に抗して各歯５４の間から引っ込むように構成されている。これにより、逆回転の防止が解除されるようになっている。したがって、配線巻き取り装置４０にて巻き取った第２配線２７ｂを元に戻すことができ、当該第２配線２７ｂを必要に応じて弛ませた状態とすることができる。また、解除ボタン５５は、屋内側にて露出するように、駆動ユニット２４のハウジング２５外に設けられている。したがって、第２配線２７ｂを弛ませる場合の作業性を良好なものとしつつ、屋外側からの解除ボタン５５の操作が防止されている。
【００４３】
上記構成において玄関部１０への電気錠システム２０の取り付け後などに第２配線２７ｂの弛みを除去する際には、操作部材４３を巻き取り操作方向に手動操作することにより、第２配線２７ｂの一部がハウジング２５内に導出される。これにより、図１の破線で示すように、第２配線２７ｂの弛みが除去される。そして、配線巻き取り装置４０に逆回転防止機構５０が設けられていることにより、第２配線２７ｂの弛みが除去された状態が自ずと保持される。その一方、第２配線２７ｂの弛みを除去した状態を解除する際には、解除ボタン５５を押圧操作することにより、図１の二点鎖線で示すように、第２配線２７ｂを弛ませることが可能となる。
【００４４】
以上詳述した第１の実施の形態によれば、以下の優れた効果が得られる。
【００４５】
コントローラ２２と電気錠装置２１の駆動装置２６とを電気的に接続するための配線２７は、その長さ寸法が玄関扉１４の扉本体１７内において弛みが生じ得るように設定されている。ここで、電気錠装置２１は扉本体１７の回動先端側の端部に取り付けられており、さらに配線２７は、その一端が電気錠装置２１の駆動装置２６に接続され、他端が扉本体１７の回動基端側の端部に設けられた扉側通電金具２８に接続されている。したがって、電気錠装置２１（詳細には、駆動ユニット２４）の扉本体１７への取り付け作業に際しては、扉本体１７内にある配線２７（詳細には、第２配線２７ｂ）を回動先端側の端部から外側に導出し、その導出した配線２７を駆動装置２６（詳細には、第１配線２７ａ）に接続した後に、電気錠装置２１を扉本体１７に取り付ける。かかる場合に、扉本体１７内において配線２７の弛みがない場合を想定すると、配線２７を扉本体１７の回動先端側の端部から外側に導出することができないため、電気錠装置２１を扉本体１７に取り付けることができない。これに対して、上記のとおり、配線２７はその長さ寸法が扉本体１７内において弛みが生じ得るように設定されているため、電気錠装置２１の扉本体１７への取り付け作業が可能となっている。
【００４６】
かかる構成において、配線巻き取り装置４０を設けた。これにより、取付作業などの終了後には配線２７の弛みを除去した状態とすることができ、玄関扉１４の外板１７ａを破壊して配線２７を屋外側に導出し、この状態で配線２７を切断して外部電源に接続し電気錠装置２１を不正に解錠させようとする行為を抑制することができる。
【００４７】
配線２７の一部を扉本体１７の内部空間Ｓよりも屋内側に巻き取った状態で保持することで、配線２７の弛みを除去するようにした。これにより、巻き取った状態にある配線２７の一部を屋外側に導出して電気錠装置２１を不正に解錠させようとしてもそれが困難となる。よって、防犯性を高めることができる。特に、配線２７のうち巻き取った部分を駆動ユニット２４のハウジング２５内に収容するようにしたため、屋内側における玄関扉１４周辺の外観が良好なものとなり、さらには配線２７を収容するための部材を別に設ける構成に比して部材点数の削減を図ることができる。
【００４８】
配線巻き取り装置４０は操作部材４３を備え、当該操作部材４３を手動操作することにより配線２７の弛みが自ずと除去されるとともに、その状態が逆回転防止機構５０によって自ずと保持されるようにした。これにより、配線２７の弛みを除去する場合の作業性を向上させることができる。また、ボビン４１にて配線２７の一部を巻き取ることにより当該配線２７の弛みが除去されるようにしたため、配線２７の弛み除去を整然と行うことができる。
【００４９】
また、逆回転防止機構５０には解除ボタン５５を設け、当該解除ボタン５５を押圧操作することにより配線２７の弛みを除去した状態が解除されるようにした。これにより、配線２７の弛みを一旦除去したとしても、その後、配線２７を再度弛ませることができる。このように配線２７を再度弛ませられるようにすることで、電気錠装置２１の保守点検作業を良好に行うことができる。すなわち、扉本体１７内において配線２７の弛みがない場合を想定すると、配線２７を扉本体１７の回動先端側の端部から外側に導出することができないため、当該配線２７が接続された状態では電気錠装置２１を扉本体１７から取り外すことができない。かかる場合、電気錠装置２１を扉本体１７から取り外すためには当該扉本体１７を分解する必要が生じ、電気錠装置２１の保守点検作業を行う上で相当な手間となる。これに対して、上記のとおり、配線２７の弛みを一旦除去したとしても、その後、配線２７を再度弛ませることができるため、扉本体１７の分解等を要することなく電気錠装置２１を扉本体１７から取り外すことができ、電気錠装置２１の保守点検作業を良好に行うことができる。
【００５０】
[第２の実施の形態]
本実施の形態では、駆動ユニットの構成が上記第１の実施の形態と異なっている。そこで、駆動ユニット６０の構成について図４を用いて説明する。図４（ａ）は駆動ユニット６０を玄関扉１７の回動先端側から見た側面図であり、図４（ｂ）は駆動ユニット６０を屋内側から見た正面図である。なお、図４において上記第１の実施の形態と同様の構成については同一の番号を付すとともにその説明を省略する。
【００５１】
駆動ユニット６０は、ハウジング６１を備えている。ハウジング６１は、一方に開放された箱状をなす収容箱体６２と、当該収容箱体６２の開放部６２ａを塞ぐ蓋体６３とを備えており、蓋体６３に形成された係合部６４に対して収容箱体６２が係合され両者が一体化されている。駆動ユニット６０は、ハウジング６１の蓋体６３が扉本体１７の内板１７ｂに当接した状態でネジ止めされていることにより、玄関扉１４に取り付けられている。このように取り付けられていることにより、駆動ユニット６０は玄関扉１４の屋内側扉面から屋内側に張り出している。なお、上記係合部６４による係合の解除は蓋体６３を内板１７ｂにネジ止めした状態で行うことができる。
【００５２】
ハウジング６１内には、箱錠２３のデッドボルト２３ａを動作させる駆動装置６５が設けられている。ハウジング６１の蓋体６３には挿通孔６６が形成されており、さらに当該挿通孔６６に対応させて内板１７ｂにも挿通孔が形成されている。これら挿通孔６６を介して、駆動装置６５から延びる配線６７は扉本体１７の内部空間Ｓに入り込んでおり、当該内部空間Ｓを通って扉側通電金具２８に接続されている。この配線６７は、上記第１の実施の形態と同様に、その長さ寸法が駆動装置６５と扉側通電金具２８との間の最短距離よりも大きく確保されている。
【００５３】
ここで、ハウジング６１内には、配線６７の弛みを除去する弛み除去手段としての配線巻き取り部７１が設けられている。配線巻き取り部７１は、ハウジング６１の蓋体６３に一体形成されている。また、配線巻き取り部７１には所定間隔をおいて２つの軸部７２が設けられている。これら軸部７２は、蓋体６３側を基端として同一方向に延びるように形成されている。すなわち、各軸部７２は、相互に平行となるようにして形成されている。これら各軸部７２の先端部には当該軸部７２よりも大径のストッパ７３が一体形成されている。なお、ストッパ７３は、軸部７２の外周側に張り出す構成であれば、円形に限定されることはなくどのような形状であってもよい。
【００５４】
上記構成においては、弛みを除去すべく扉本体１７の内部空間Ｓから導出した配線６７の一部を、両軸部７２を通るようにして巻き回すことにより、当該配線６７の一部を巻き取っておくことができる。特に、配線巻き取り部７１が複数の軸部７２を有していることにより、軸部７２が１個のみ設けられた構成に比して巻き回す回数を少なくすることが可能となり、配線６７の巻き取り作業を良好に行うことができる。また、このように配線６７の一部を巻き取る構成とすることにより、配線６７の張力によって当該配線６７の弛みを除去した状態が保持される。さらに、上記のとおり配線巻き取り部７１の軸部７２にはストッパ７３が設けられているため、巻き取った配線６７が配線巻き取り部７１から外れてしまうことが抑制されている。
【００５５】
また、ハウジング６１内には、配線巻き取り部７１以外にも、弛み除去手段を構成する拘束部材７５が設けられている。拘束部材７５は合成樹脂によりベルト状に形成されている。拘束部材７５としては、具体的にタイラップ（登録商標）などが用いられる。当該拘束部材７５の幅寸法及び厚み寸法に対応させて、ハウジング６１の蓋体６３には拘束用孔７６が形成されている。この拘束用孔７６の位置は、挿通孔６６と配線巻き取り部７１との間の位置となっている。拘束用孔７６に対して挿通させた拘束部材７５によってハウジング６１内に導出した配線６７を拘束することにより、当該配線６７の弛みを除去した状態が保持される。
【００５６】
上記構成において玄関部１０への電気錠システム２０の取り付け後などに配線６７の弛みを除去する際には、ハウジング６１の収容箱体６２を取り外し、扉本体１７の内部空間Ｓから配線６７の一部を導出する。そして、その導出した配線６７を配線巻き取り部７１にて巻き取るとともに、巻き取った状態で拘束部材７５により配線６７を拘束する。これにより、配線６７の弛みが除去された状態が保持される。その一方、配線６７の弛みを除去した状態を解除する際には、ハウジング６１の収容箱体６２を取り外し、拘束部材７５を切断するとともに配線巻き取り部７１から配線６７を外すことにより、配線６７を弛ませることが可能となる。なお、拘束部材７５は拘束用孔７６に挿通されることで所定位置に支持される構成であるため、切断した拘束部材７５を新たなものに交換することが可能となっている。
【００５７】
以上詳述した第２の実施の形態によれば、以下の優れた効果が得られる。
【００５８】
本実施の形態によれば、配線巻き取り部７１や拘束部材７５といった弛み除去手段が設けられているため、上記第１の実施の形態と同様に、電気錠装置２１を備えた構成において電気錠装置２１の取付作業を可能なものとしつつ防犯性の向上を図ることができる。さらには、電気錠装置２１の保守点検作業を良好に行うことができる。特に、本実施の形態では、上記第１の実施の形態に比して簡素な構成により上記効果を奏することができる。
【００５９】
[他の実施の形態]
本発明は上記各実施の形態の記載内容に限定されず、例えば次のように実施しても良い。
【００６０】
図５に示す電気錠システム８０においては、コントローラ８１が玄関部１０の壁体１１に設けられているのではなく、玄関扉１４に設けられている。詳細には、コントローラ８１は、扉本体１７の回動先端側の端面から内部空間Ｓに収められ、当該端面にネジ止めされている。また、コントローラ８１は、内部空間Ｓを通るようにして設けられた配線８２によって駆動ユニット８３の駆動装置と電気的に接続されている。配線８２は、その長さ寸法がコントローラ８１と駆動ユニット８３の駆動装置との間の最短距離よりも大きく確保されており、内部空間Ｓにおいて弛みが生じ得る長さ寸法となっている。これにより、扉本体１７に駆動ユニット８３（当該駆動ユニット８３を有する電気錠装置）を取り付けた状態において扉本体１７に対するコントローラ８１の取り付け作業を行うことができ、また扉本体１７にコントローラ８１を取り付けた状態において扉本体１７に対する駆動ユニット８３の取り付け作業を行うことができる。また、当該構成において、上記各実施の形態にて示したような弛み除去手段をコントローラ８１や駆動ユニット８３などに設けるようにする。これにより、図５の破線で示すように配線８２の弛みを除去した状態とすることができるとともに、コントローラ８１や駆動ユニット８３の保守点検作業に際しては図５の二点鎖線で示すように配線８２を弛ませた状態とすることができる。よって、コントローラ８１や駆動ユニット８３の取付作業を可能なものとしつつ防犯性の向上を図ることができ、さらにはコントローラ８１や駆動ユニット８３の保守点検作業を良好に行うことができる。
【００６１】
また、図５に示す電気錠システム８０において、受信機８４は上記各実施の形態と同様に壁体１１に設けられており、受信機８４とコントローラ８１とは扉本体１７の内部空間Ｓを通るようにして設けられた配線８５を介して電気的に接続されている。かかる構成においては、扉本体１７の外板１７ａを破壊して配線８５を屋外側に導出し、この状態で配線８５を切断して外部出力装置などに接続することで、コントローラ８１に対して不正に解錠情報を出力する行為が想定される。その一方で、コントローラ８１の取付作業時や保守点検作業に際しては、配線８５が弛んだ状態である必要がある。そこで、上記各実施の形態において示したような弛み除去手段をコントローラ８１に設けることが好ましい。これにより、図５の破線で示すように配線８５の弛みを除去した状態とすることができるとともに、必要に応じて図５の二点鎖線で示すように配線８５を弛ませた状態とすることができる。よって、配線８５に関しても、コントローラ８１の取付作業を可能なものとしつつ防犯性の向上を図ることができ、さらにはコントローラ８１の保守点検作業を良好に行うことができる。なお、両配線８２，８５のそれぞれに対して弛み除去手段を設ける構成においては、それら各弛み除去手段をコントローラ８１のハウジング内などに集約させる構成としてもよい。
【００６２】
上記各実施の形態では、電気錠装置２１に対して弛み除去手段を一体的に設けたが、弛み除去手段を電気錠装置２１とは別に設ける構成としてもよい。具体的には、弛み除去手段用のハウジングを玄関扉１４の内板１７ｂにおける屋内側に設け、そのハウジング内に、上記第１の実施の形態に関しては配線巻き取り装置４０を収容し、上記第２の実施の形態に関しては配線巻き取り部７１及び拘束部材７５を収容する。
【００６３】
上記第１の実施の形態における配線巻き取り装置４０に関して、配線２７の弛みを除去する上で操作される操作手段と、当該操作部における操作に基づいて配線２７を巻き取る巻き取り手段とを一体的に設ける構成としてもよい。つまり、伝達機構としての各種ギア４５〜４７を設けるのではなく、操作部材４３に対してボビン４１を一体的に設ける。これにより、上記第１の実施の形態に比して部材点数の削減を図ることができる。
【００６４】
上記第１の実施の形態における配線巻き取り装置４０に関して、電動アクチュエータを設け、当該電動アクチュエータの駆動によって、配線２７の一部を巻き取るとともにその巻き取った配線２７を元に戻す構成としてもよい。より具体的には、巻き取り開始ボタン及び巻き取り解除ボタンなどといった操作手段の操作に基づいて電動アクチュエータが動作するよう構成するとともに、当該電動アクチュエータの駆動によって巻き取り手段が巻き取り方向及び反巻き取り方向に回転するよう構成する。かかる構成によれば、配線２７の弛みを除去する場合や配線２７を弛ませる場合の作業性をより向上させることができる。さらに、上記構成において、電動アクチュエータなどに駆動時の負荷を検出する負荷検出手段などを設け、当該負荷検出手段にて基準値以上の負荷を検出した場合には電動アクチュエータの動作を停止する構成としてもよい。この場合、配線２７の弛みを除去する際などに、当該配線２７が誤って断線してしまうことを防止することができる。
【００６５】
上記第２の実施の形態において、配線巻き取り部７１と拘束部材７５とのいずれか一方のみを設ける構成としてもよい。これら配線巻き取り部７１及び拘束部材７５はそれぞれが弛み除去手段としての機能を有するため、いずれか一方のみを設けるだけでも、電気錠装置２１の取付作業を可能なものとしつつ防犯性の向上を図ることができ、さらには電気錠装置２１の保守点検作業を良好なものとすることができる。なお、配線巻き取り部７１は２軸に限定されることはなく、１軸であってもよく、３軸以上であってもよい。
【００６６】
上記各実施の形態では、箱錠２３と駆動ユニット２４，６０とを個別に設けたが、これに代えて、両者を一体的に設ける構成としてもよい。上記第１の実施の形態に関して具体的には、箱錠２３内に駆動ユニット２４を搭載する構成としてもよい。
【００６７】
本発明は、上記各実施の形態とは異なるタイプの電気錠システムについても適用することができる。例えば、上記各実施の形態とは異なる情報検知部を備えた電気錠システムに対して本発明を適用してもよい。具体的には、情報検知部として、カードキーのスキャン装置や所定の暗証番号を入力するためのテンキー装置や赤外線通信を行う通信装置を備えた電気錠システムに対して本発明を適用してもよい。
【００６８】
本発明は、上記各実施の形態とは異なるタイプの建物用扉に対しても適用することができる。例えば、光透過部としてのガラス板を備えた建物用扉に対して本発明を適用してもよく、両開きの建物用扉に対して本発明を適用してもよい。また、サムターンノブを有しない建物用扉に対して本発明を適用してもよく、屋外側からキーを差し込んで解錠できる施錠装置を電気錠装置とは別に有する建物用扉に対して本発明を適用してもよい。さらには、玄関部以外にも勝手口等の屋内外に連通される開口部を開閉する建物用扉に対して本発明を適用してもよく、屋内における居室空間の出入り口を開閉する建物用扉に対して本発明を適用してもよい。
【図面の簡単な説明】
【００６９】
【図１】建物の玄関扉周辺を屋外側から見た正面図。
【図２】第１の実施の形態における電気錠装置を玄関扉の回動先端側から見た側面図。
【図３】電気錠装置を屋内側から見た正面図。
【図４】（ａ）第２の実施の形態における電気錠装置を玄関扉の回動先端側から見た側面図、（ｂ）電気錠装置を屋内側から見た正面図。
【図５】別例を示し、建物の玄関扉周辺を屋外側から見た正面図。
【図６】背景技術及び課題を説明するための説明図。
【符号の説明】
【００７０】
１０…玄関部、１４…玄関扉、１７…扉本体、２０…電気錠システム、２１…電気錠装置、２２…制御装置としてのコントローラ、２３…箱錠、２４…駆動ユニット、２５…収容体としてのハウジング、２５ｃ…収容領域、２６…駆動装置、２７…配線、２８…扉側通電金具、３２…受信機、４０…弛み除去手段を構成する配線巻き取り装置、４１…巻き取り手段としてのボビン、４３…操作部材、５０…回転防止手段としての逆回転防止機構、５１…逆回転防止用ギア、５２…ストッパ装置、５５…解除手段としての解除ボタン、６０…駆動ユニット、６１…収容体としてのハウジング、６５…駆動装置、６７…配線、７１…巻き取り手段としての配線巻き取り部、７５…拘束部材、７６…支持部としての拘束用孔、８１…制御装置としてのコントローラ、８３…駆動ユニット、８５…配線、Ｓ…内部空間。
【図１】
2008121309.tif 000003
【図２】
2008121309.tif 000004
【図３】
2008121309.tif 000005
【図４】
2008121309.tif 000006
【図５】
2008121309.tif 000007
【図６】
2008121309.tif 000008